(57)【特許請求の範囲】
【請求項１】
光源ランプユニットから出射された光束を、画像情報に基づいて変調して光学像を形成するライトバルブを備え、前記光学像を投写レンズユニットにより投写面上に拡大投写する光学ユニットと、前記光学ユニットに電力を供給する電源ユニットと、前記光学ユニットおよび前記電源ユニットを収納する外装ケースとを備えた投写型表示装置であって、
前記外装ケースには、装置外部から冷却用空気を取り入れる空気取り入れ口が形成され、
前記空気取入口には、当該空気取り入れ口を覆うエアフィルタが設けられ、
前記空気取り入れ口近傍には、前記電源ユニットと電気的に接続される帯電フィルタが設けられ、
前記外装ケースの内部には、それぞれのライトバルブの入射面および／または出射面上を摺動する除電ブラシが設けられ、
前記除電ブラシは、一方の端部が前記エアフィルタと接続され、他方の端部が装置内部に設けられた巻き戻し機と接続され、
前記エアフィルタの取り外しとともに前記ライトバルブの入射面および／または出射面上を摺動することを特徴とする投写型表示装置。
【請求項２】
請求項１に記載の投写型表示装置において、
前記外装ケースには、このライトバルブの入射面および／または出射面を清掃する清掃用開口が形成されていることを特徴とする投写型表示装置。
【請求項３】
請求項１に記載の投写型表示装置において、
前記除電ブラシには、当該除電ブラシが巻き戻された状態で前記ライトバルブへ光束を透過させる開口が設けられていることを特徴とする投写型表示装置。
【請求項４】
請求項１〜３のいずれかに記載の投写型表示装置において、
前記空気取り入れ口には、外部の空気を強制的に取り入れる吸気ファンが設けられ、前記帯電フィルタは、前記エアフィルタと前記吸気ファンとの間に配置されていることを特徴とする投写型表示装置。
【発明の詳細な説明】
【０００１】
【発明の属する技術分野】
本発明は、光源ランプユニットから出射された光束を光学的に処理して画像情報に対応した光学像を形成し、この光学像を投写レンズユニットにより投写面上に拡大投写する光学ユニットと、この光学ユニットに電力を供給する電源ユニットと、前記光学ユニットおよび前記電源ユニットを収納する外装ケースとを備えた投写型表示装置に関する。
【０００２】
【背景技術】
従来より、光源ランプユニットから出射された光束を光学的に処理して画像情報に対応した光学像を形成し、この光学像を投写レンズユニットにより投写面上に拡大投写する光学ユニットと、この光学ユニットに電力を供給する電源ユニットと、前記光学ユニットおよび前記電源ユニットを収納する外装ケースと、光学ユニットを制御するための複数の回路基板とを備えた投写型表示装置が知られている。
【０００３】
投写型表示装置の光学ユニットは、上述した光源ランプユニットおよび投写レンズユニットの他、光源ランプユニットから出射された光束を画像情報に基づいて変調光束として出射する変調系を備えている。
【０００４】
そして、このような投写型表示装置によれば、テレビやコンピュータから出力される画像情報を投写面に拡大して表示できるので、装置と投写面との距離に応じて、自由な大きさの画像情報を看者に提供することができる。
【０００５】
このような投写型表示装置では、光源ランプユニット、光学ユニット、電源ユニット等の発熱源を冷却する必要があるので、外装ケースには、装置外部から冷却用空気を取り入れる空気取り入れ口や装置内部の空気を排出する排気口が設けられている。
【０００６】
そして、空気取り入れ口近傍には、通常吸気ファンが設けられ、装置外部の空気をこの吸気ファンによって強制的に取り入れることにより、投写型表示装置内部の冷却が行われる。
【０００７】
【発明が解決しようとする課題】
しかしながら、このような投写型表示装置において、内部の冷却用空気をそのまま取り入れると、空気中に浮遊する塵埃を装置内部に呼び込んでしまうことがあり、この塵埃が光学ユニットの各部分に付着すると、投写画像の画質が劣化するという問題がある。特に、上述した変調系を構成するライトバルブは表面が帯電しているため、塵埃が付着し易く、画質の劣化の大きな要因となるという問題がある。
【０００８】
このため、従来より、スポンジ状のエアフィルタが設けられたエアフィルタカバーで上述した空気取り入れ口を覆うことにより、装置内部に塵埃が入り込むのを防止していたが、塵埃の流入を完全に遮断することはできず、投写型表示装置の画質は徐々に劣化してしまうという問題がある。
【０００９】
本発明の目的は、空気中の塵埃が装置内部に入り込むことを確実に防止して鮮明な画質を長期に亘って維持することのできる投写型表示装置を提供することにある。
【００１０】
【課題を解決するための手段】
本発明に係る投写型表示装置は、光源ランプユニットから出射された光束を光学的に処理して画像情報に対応した光学像を形成し、この光学像を投写レンズユニットにより投写面上に拡大投写する光学ユニットと、この光学ユニットに電力を供給する電源ユニットと、前記光学ユニットおよび前記電源ユニットを収納する外装ケースとを備えた投写型表示装置であって、前記外装ケースには、装置外部から冷却用空気を取り入れる空気取り入れ口が形成され、この空気取り入れ口近傍には、前記電源ユニットと電気的に接続される帯電フィルタが設けられていることを特徴とする。
【００１１】
ここで、帯電フィルタは、要するに、装置内外の通気を確保できかつ電気的な接続をすることにより正又は負に帯電するフィルタをいい、例えば、導電性を有する合成樹脂の線状材又は金属線等を編み込んだメッシュ状のフィルタが考えられる。
【００１２】
このような本発明によれば、空気取り入れ口に電源ユニットと電気的に接続された帯電フィルタが設けられているので、空気取り入れ口から侵入した微小な塵埃はこの帯電フィルタにより捕捉され、装置内部、特に光学ユニットを構成するライトバルブ等に塵埃が付着することが防止され、投写型表示装置の画質が劣化することもない。
【００１３】
以上において、上述した空気取り入れ口には、当該空気取り入れ口を覆うエアフィルタが設けられているのが好ましい。
【００１４】
すなわち、空気取り入れ口に上述した帯電フィルタおよびエアフィルタが設けられているので、空気取り入れ口から侵入する塵埃はエアフィルタおよび帯電フィルタにより捕捉され、装置内部に塵埃が付着する可能性が一層低減される。
【００１５】
尚、エアフィルタおよび帯電フィルタは、まず、エアフィルタによって比較的大きな塵埃を捕捉した後、このエアフィルタを通過した微小な塵埃を帯電フィルタで捕捉するように配置するのが好適である。
【００１６】
また、上述した光学ユニットが前記光源ランプユニットから出射された光束を画像情報に基づいて変調するライトバルブを備えている場合、外装ケースには、このライトバルブの入射面および出射面のいずれかまたは両方を清掃する清掃用開口が形成されているのが好ましい。
【００１７】
すなわち、清掃用開口が形成されているので、ライトバルブに塵埃が付着しても、除電ブラシ等によって直ちに塵埃を除去することができ、投写型表示装置の画質を常に鮮明に維持することができる。
【００１８】
さらに、上述した光学ユニットが前記光源ランプユニットから出射された光束を画像情報に基づいて変調するライトバルブを備えている場合、外装ケースの内部には、それぞれのライトバルブの入射面および出射面のうち、いずれかの面上または両方の面上を摺動する除電ブラシが設けられ、この除電ブラシは、一方の端部が前記エアフィルタと接続され、他方の端部が前記外装ケース内部に設けられた巻き戻し機と接続され、前記エアフィルタの取り外しとともに前記ライトバルブの入射面および／または出射面上を摺動するように構成されているのが好ましい。
【００１９】
すなわち、外装ケース内部に設けられた除電ブラシの一方の端部がエアフィルタに接続され、他方の端部が装置内部の巻き戻し機と接続されているので、エアフィルタの取り外しと連動して除電ブラシが摺動し、ライトバルブの入射面および出射面を清掃することが可能となり、特段清掃作業を行うことなく、ライトバルブ上の塵埃を除去することが可能となる。
【００２０】
そして、上述した除電ブラシには、当該除電ブラシが巻き取られた状態でライトバルブへ光束を透過させる開口が設けられているのが好ましい。
【００２１】
すなわち、除電ブラシに開口が設けられているので、投写型表示装置の使用時において、除電ブラシが投写画像の障害となることもない。
【００２２】
また、上述した空気取り入れ口には外部の空気を強制的に取り入れる吸気ファンが設けられ、帯電フィルタは、エアフィルタと吸気ファンとの間に配置されているのが好ましい。
【００２３】
すなわち、帯電フィルタが吸気ファンとエアフィルタとの間に配置されているので、吸気ファンによる装置内部への空気の取り込み前に、当該空気中の塵埃を捕捉することができる。従って、吸気ファンにも塵埃が付着することがなく、装置内部を一層清浄な状態に維持することが可能となる。
【００２４】
【発明の実施の形態】
１．第１実施形態
以下に本発明の第１実施形態を図面に基づいて説明する。
【００２５】
（１）投写型表示装置の全体構成
図１には、本実施形態に係る投写型表示装置１が示されている。この投写型表示装置１は、光源ランプユニットから出射された光束を赤（Ｒ）、緑（Ｇ）、青（Ｂ）の３原色光束に分離し、これらの各色光束を液晶ライトバルブ（変調系）を通して画像情報に対応させて変調し、変調した後の各色の変調光束を合成して、投写レンズユニット６を介してスクリーン（投射面）上に拡大表示する形式のものである。
【００２６】
この図に示すように、投写型表示装置１は直方体形状をした外装ケース２を有している。外装ケース２は、基本的には、アッパーケース３と、ロアーケース４と、装置前面を規定しているフロントケース５から構成されている。フロントケース５の中央からは投写レンズユニット６の先端側の部分が突出している。
【００２７】
図２には、投写型表示装置１の外装ケース２の内部における各構成部分の配置を示してあり、図３には、図２のIII−III線における断面を示してある。これらの図に示すように、外装ケース２の内部において、その後端側には電源ユニット７が配置されている。この電源ユニット７よりも装置前側の隣接した位置には光源ランプユニット２０が配置されている。光源ランプユニット２０の装置前側にはこの光源ランプユニット２０からほぼ光軸に沿って出射された光束を入射できる光学ユニット９が配置されている。光学ユニット９の前側の中央には、投写レンズユニット６の基端側が位置している。一方、光学ユニット９の側方には、装置の前後方向に向けて入出力インターフェース回路が搭載されたインターフェース基板１１１が配置され、このインターフェース基板１１１に平行にビデオ信号処理回路が搭載されたビデオ基板１１２が配置されている。さらに、光源ランプユニット２０、光学ユニット９の上側には、装置駆動制御用の制御基板１１３が配置されている。尚、装置前端側の左右の角には、それぞれスピーカ１１４Ｒ、１１４Ｌが配置されている。
【００２８】
図４には、光学ユニット９および投写レンズユニット６の部分を取り出して示してある。この図に示すように、光学ユニット９は、色合成プリズムユニット９１０以外の光学素子が上下のライトガイド９０１、９０２の間に上下から挟まれて保持された構成となっている。これらの上ライトガイド９０１、下ライトガイド９０２は、それぞれアッパーケース３およびロアーケース４の側に固定ねじにより固定されている。また、これらの上下のライトガイド９０１、９０２は、色合成プリズムユニット９１０の側に同じく固定ねじによって固定されている。色合成プリズムユニット９１０は、ダイキャスト板である厚手のヘッド板９０３の裏面側に固定ねじによって固定されている。このヘッド板９０３の前面には、投写レンズユニット６の基端側が同じく固定ねじによって固定されている。
【００２９】
（２）光学系の構造
図５には、本例の投写型表示装置１に組み込まれている光学系の概略構成を示してある。本例の投写型表示装置１の光学系には、光源ランプユニット２０の構成要素である光源ランプ１０と、２つのレンズ板９２１、９２２とを備えた均一照明光学系９２３が採用されている。そして、投写型表示装置１は、この均一照明光学系９２３から出射される光束Ｗを赤（Ｒ）、緑（Ｇ）、青（Ｂ）に分離する色分離光学系９２４と、各色光束Ｒ、Ｇ、Ｂを変調する３枚の液晶ライトバルブ９２５Ｒ、９２５Ｇ、９２５Ｂと、変調された後の各色光束を合成する色合成光学系としての色合成プリズムユニット９１０と、合成された光束をスクリーン１００の表面に拡大投写する投写レンズユニット６のうち、青色光束Ｂに対応する液晶ライトバルブ９２５Ｂに導く導光系９２７を備えている。
【００３０】
均一照明光学系９２３は、光源ランプユニット２０から出射された光束を複数の部分光束に分割し、それぞれの部分光束をライトバルブ９２５Ｒ、９２５Ｇ、９２５Ｂ上に重畳させることにより、ライトバルブ９２５Ｒ、９２５Ｇ、９２５Ｂ上をほぼ均一な照度で照明する機能を有している。
【００３１】
また、本例の均一照明光学系９２３は、光源から出射された光の光軸１ａを装置前方向に折り曲げる反射ミラー９３１を備えており、この反射ミラー９３１を挟んで第１、第２のレンズ板９２１、９２２が配置されている。
【００３２】
第１のレンズ板９２１は、マトリクス状に配置された複数の矩形レンズを有しており、光源から出射された光束を複数の部分光束に分割し、各部分光束を第２のレンズ板９２２の近傍で集光させる。
【００３３】
第２のレンズ板９２２は、マトリクス状に配置された複数の矩形レンズを有しており、第１のレンズ板９２１から出射された各部分光束をライトバルブ９２５Ｒ、９２５Ｇ、９２５Ｂ上に重畳させる機能を有している。
【００３４】
このように、本例の投写型表示装置１では、均一照明光学系９２３により、液晶ライトバルブ９２５Ｒ、９２５Ｇ、９２５Ｂ上をほぼ均一な照度の光で照明することができるので、照度ムラのない投写画像を得ることができる。
【００３５】
各色分離光学系９２４は、青緑反射ダイクロイックミラー９４１と、緑反射ダイクロイックミラー９４２と、反射ミラー９４３から構成される。まず、青緑反射ダイクロイックミラー９４１において、均一照明光学系９２３から出射される光束Ｗに含まれている青色光束Ｂおよび緑色光束Ｇが直角に反射され、緑反射ダイクロイックミラー９４２の側に向かう。
【００３６】
赤色光束Ｒはこの青緑反射ダイクロイックミラー９４１を通過して、後方の反射ミラー９４３で直角に反射されて、赤色光束Ｒの出射部９４４から色合成プリズムユニット９１０の側に出射される。次に、青緑反射ダイクロイックミラー９４１において反射された青色、緑色光束Ｂ、Ｇのうち、緑反射ダイクロイックミラー９４２において、緑色光束Ｇのみが直角に反射されて、緑色光束Ｇの出射部９４５から色合成光学系の側に出射される。この緑反射ダイクロイックミラー９４２を通過した青色光束Ｂは、青色光束Ｂの出射部９４６から導光系９２７の側に出射される。本例では、均一照明光学素子の光束Ｗの出射部から、色分離光学系９２４における各色光束の出射部９４４、９４５、９４６までの距離が全て等しくなるように設定されている。
【００３７】
色分離光学系９２４の赤色、緑色光束Ｒ、Ｇの出射部９４４、９４５の出射側には、それぞれ集光レンズ９５１、９５２が配置されている。したがって、各出射部から出射した赤色、緑色光束Ｒ、Ｇは、これらの集光レンズ９５１、９５２に入射して平行化される。
【００３８】
このように平行化された赤色、緑色光束Ｒ、Ｇは、入射側偏光板９６０Ｒ、９６０Ｇを通って液晶ライトバルブ９２５Ｒ、９２５Ｇに入射して変調され、各色光に対応した画像情報が付加される。すなわち、これらの液晶ライトバルブは、不図示の駆動手段によって画像情報に応じてスイッチング制御されて、これにより、ここを通過する各色光の変調が行われる。このような駆動手段は公知の手段をそのまま使用することができる。一方、青色光束Ｂは、導光系９２７を介して対応する液晶ライトバルブ９２５Ｂに導かれ、ここにおいて、同様に画像情報に応じて変調が施される。なお、本例の液晶ライトバルブ９２５Ｒ、９２５Ｇ、９２５Ｂとしては、例えば、ポリシリコンＴＦＴをスイッチング素子として用いたものを採用することができる。
【００３９】
導光系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、液晶ライトバルブ９２５Ｂの手前側に配置した集光レンズ９５３とから構成されており、集光レンズ９５３から出射した青色光束Ｂは、入射側偏光板９６０Ｂを通って液晶ライトバルブ９５２Ｂに入射して変調される。各色光束の光路長、すなわち、光源ランプ１０から各液晶パネルまでの距離は青色光束Ｂが最も長くなり、したがって、この光束の光量損失が最も多くなる。しかし、導光系９２７を介在させることにより、光量損失を抑制できる。
【００４０】
次に、各液晶ライトバルブ９２５Ｒ、９２５Ｇ、９２５Ｂを通って変調された各色光束Ｒ、Ｇ、Ｂは、出射側偏光板９６１Ｒ、９６１Ｇ、９６１Ｂを通って色合成プリズムユニット９１０に入射され、ここで合成される。そして、この色合成プリズムユニット９１０によって合成されたカラー画像が投写レンズユニット６を介して所定の位置にあるスクリーン１００の表面に拡大投写されるようになっている。
【００４１】
（３）装置内部の冷却構造
次に、上述した投写型表示装置１における内部の冷却構造について説明する。図２、図３に示されるように、光学ユニット９の底面側の中央部分に対応する外装ケース２のロアーケース４の底面には、空気取り入れ口４１が形成されている。この空気取り入れ口４１の上方には、強制的に装置外部の空気を装置内部に送り込む吸気ファン５１が設けられている。また、光源ランプユニット２０の裏面側である装置側面には排気ファン１１６（図２参照）が配置されている。そして、電源ユニット７における基板１１１、１１２の端に面する位置には吸気ファン５１からの冷却用空気流を電源ユニット７内に吸引するための補助冷却ファン１１７が配置されている。
【００４２】
そして、吸気ファン５１によって空気取り入れ口４１から入り込んだ冷却用空気の一部は、色合成プリズムユニット９１０と液晶ライトバルブ９２５Ｒ、９２５Ｇ、９２５Ｂの隙間を通ってこれらを冷却した後、制御基板１１３を冷却し、最後に光源ランプユニット２０を冷却して排気ファン１１６によって装置外部に排出される。
【００４３】
一方、冷却用空気の他の一部は、光学ユニット９の側方に配置される基板１１１、１１２に沿って装置後端側に流れ、補助冷却ファン１１７によって電源ユニット７の内部を冷却した後、排気ファン１１６によって装置外部に排出される。このような投写型表示装置１の冷却構造における空気取り入れ口４１の近傍は、図６の部分拡大断面図に示すような構造となっている。すなわち、空気取り入れ口４１は、この空気取り入れ口４１を覆うエアフィルタ４２が設けられたエアフィルタカバー４３によって覆われ、図６では図示を略したが、上述したロアーケース４に対してネジ止め固定されている。
【００４４】
吸気ファン５１とこのエアフィルタ４２との間には、帯電フィルタ４４が介装され、この帯電フィルタ４４の端部はロアーケース４の内部に設けられる固定部４４１にネジ４４２によって固定されている。そして、空気取り入れ口４１から流入する冷却用空気中の比較的大きな塵埃は、まずエアフィルタ４２によって捕捉され、微細な塵埃は、帯電した帯電フィルタ４４によって電気的に捕捉される。この帯電フィルタ４４は、図７に示すように、一般的な除電ブラシ材で用いられる材質と同様の導電性を有する合成樹脂等からなる線状材をメッシュ状に編み込んだシート状部材に電気的または化学的な方法によって正または負の電荷は付与されたものである。帯電フィルタ４４の端縁は、ロアーケース４の底板の内側面に沿って設けられる金属板４４３に接続されている。この金属板４４３は、ロアーケースの内側面に沿って取り付けられ、上述した電源ユニット７に電気的に接続されている。
【００４５】
このように、電気的、化学的に正または負に帯電された帯電フィルタ４４を、電源ユニット７につながるグランドラインに接続しておくことにより、帯電フィルタ４４は常に帯電状態に保たれ、一段と塵埃の捕捉能力を高めることができる。尚、帯電フィルタ４４によって捕捉された微細な塵埃は、定期的にエアフィルタカバー４３を外してブラシ等で除去し、空気取り入れ口４１の冷却用空気の取り入れが損なわれないようにしておくのが望ましい。
【００４６】
（４）第１実施形態の効果
前述のような第１実施形態によれば、次のような効果がある。
【００４７】
すなわち、空気取り入れ口４１に電源ユニット７と電気的に接続された帯電フィルタ４４が設けられているので、エアフィルタ４２を通過した微小な塵埃はこの帯電フィルタ４４により捕捉され、空気取り入れ口４１の近傍に配置される液晶ライトバルブ９２５Ｒ、９２５Ｇ、９２５Ｂ等に塵埃が付着することを防止することができ、投写型表示装置１の画質が劣化することもない。
【００４８】
また、帯電フィルタ４４が除電ブラシ材等に用いられる金属製のメッシュ等によって構成されているので、投写型表示装置１に帯電フィルタ４４を簡易にかつ安価に装備することができる。
【００４９】
さらに、帯電フィルタ４４が吸気ファン５１とエアフィルタ４２との間に配置されているので、冷却用空気が吸気ファン５１にたどり着く前に捕捉することができ、吸気ファン５１に塵埃等が付着することも防止することができる。
【００５０】
そして、帯電フィルタ４４が電源ユニット７と電気的に接続されているので、帯電フィルタ４４が常に帯電状態に保たれ、一段と塵埃の捕捉能力を高めることができる。また、特に投写型表示装置１の小型化を行う上で、余分な部品を装備する必要がなく有効である。
【００５１】
また、電気的、化学的に塵埃を捕捉しているので、軽衝撃では、塵埃が脱落せず、本体内部の他の部分から生じた塵埃も、確実に吸着して防塵機能を向上できる。
【００５２】
２．第２実施形態
次に、本発明の第２実施形態について説明する。尚、以下の説明では、既に説明した部分又は部材と同一又は類似の部分等についてはその説明を簡略又は省略する。
【００５３】
（１）第１実施形態との相違点
前述した第１実施形態に係る投写型表示装置１では、投写型表示装置１の空気取り入れ口４１にエアフィルタ４２の他に帯電フィルタ４４を介装し、これらによって空気取り入れ口４１から取り入れられる冷却用空気中の塵埃を捕捉し、投写型表示装置１の内部の清浄状態を維持するものであった。
【００５４】
これに対して、第２実施形態に係る投写型表示装置１０１では、空気取り入れ口４１を第１実施形態と同様の構造とし、これに加えて、外装ケース２に３枚の液晶ライトバルブ９２５Ｒ、９２５Ｇ、９２５Ｂの入射面および出射面を清掃する清掃用開口６１が設けられ、除電ブラシ７１によって液晶ライトバルブ９２５Ｒ、９２５Ｇ、９２５Ｂを清掃できるようになっている点が相違する。
【００５５】
すなわち、図８に示すように、投写型表示装置１０１のアッパーケース１０３の上面には、色合成プリズムユニット９１０および液晶ライトバルブ９２５Ｒ、９２５Ｇ、９２５Ｂ（図８には液晶ライトバルブ９２５Ｒ、９２５Ｇ、９２５Ｂのみが示されている。）を視認することのできる清掃用開口６１が形成され、この清掃用開口６１は、アッパーケース１０３にネジ止め固定される蓋６２によって覆われている。
【００５６】
そして、蓋６２を取り外し、清掃用開口６１から除電ブラシ７１を挿入し、液晶ライトバルブ９２５Ｒ、９２５Ｇ、９２５Ｂの入射面及び出射面上で摺動させることにより、当該入射面及び出射面上に付着した塵埃を除去することができる。尚、除電ブラシ７１は、図９に示すように、導電性のある合成樹脂の線状材をメッシュ状に編み込んだ矩形状のブラシ部７１１と、このブラシ部７１１の基端側に設けられる握り部７１２とを有し、ブラシ部７１１の幅寸法は、液晶ライトバルブ９２５Ｒ、９２５Ｇ、９２５Ｂの幅寸法と対応するとともに、その厚さ寸法は、液晶ライトバルブ９２５Ｒ、９２５Ｇ、９２５Ｂと上述した入射側偏光板９６０Ｒ、９６０Ｇ、９６０Ｂとの隙間、液晶ライトバルブ９２５Ｒ、９２５Ｇ、９２５Ｂと色合成プリズムユニット９１０との隙間よりも小さい寸法となっている。
【００５７】
（２）第２実施形態の効果
このような第２実施形態に係る投写型表示装置１０１によれば、前述の第１実施形態で述べた効果に加えて次のような効果がある。
【００５８】
すなわち、アッパーケース１０３に清掃用開口６１が形成されているので、液晶ライトバルブ９２５Ｒ、９２５Ｇ、９２５Ｂに塵埃が付着し、投写型表示装置１０１の画質が劣化しても、除電ブラシ７１によって直ちに塵埃を除去することができ、投写型表示装置１０１の画質を常に鮮明に維持することができる。
【００５９】
なお、除電ブラシ７１は、液晶ライトバルブ９２５Ｒ、９２５Ｇ、９２５Ｂの光入射面、光出射面のうち、いずれか一方にのみ設けるようにしてもよい。
【００６０】
３．第３実施形態
次に、第３実施形態について説明する。
【００６１】
（１）第２実施形態との相違点
前述の第２実施形態では、投写型表示装置１０１は、アッパーケース１０３上面に清掃用開口６１が形成され、この清掃用開口６１を利用して装置内部の液晶ライトバルブ９２５Ｒ、９２５Ｇ、９２５Ｂを除電ブラシ７１によって清掃できる構造となっていた。
【００６２】
これに対して、第３実施形態に係る投写型表示装置２０１は、装置内部に予め液晶ライトバルブ９２５Ｒ、９２５Ｇ、９２５Ｂの入射面および出射面に付着した塵埃を除去する除去機構８１が設けられている点が相違する。
【００６３】
すなわち、図１０に示すように、液晶ライトバルブ９２５Ｇの入射面および出射面上に付着した塵埃は、光学ユニット９の上部に設けられる除去機構８１によって除去され、除去機構８１は、エアフィルタカバー２４３の取り外しとともに動作するように構成されている。
【００６４】
尚、エアフィルタカバー２４３には、エアフィルタ４２の他に帯電フィルタ４４を固定する固定部２４４１が設けられ、エアフィルタカバー２４３を取り外すと、帯電フィルタ４４は固定部２４４１とともに装置から取り外すことができるように構成されている。
【００６５】
また、図１０では図示を略したが、エアフィルタカバー２４３を空気取り入れ口２４１に装着すると、固定部２４４１がロアーケース４の内側面に沿って設けられる金属板と接続され、帯電フィルタ４４と装置内部の電源ユニット７とが電気的に接続されるように構成されている。
【００６６】
除去機構８１は、液晶ライトバルブ９２５Ｇの入射面および出射面に沿って配置され、先端が前記エアフィルタ４２の端縁に接続される２本の帯状の除電ブラシ８１１と、２本の除電ブラシ８１１のそれぞれの基端側に接続され、ゼンマイの巻き戻し力を利用して、帯状の除電ブラシ８１１を収納する巻き戻し機８１２とを備えている。
【００６７】
勿論、モータにより、巻き戻し機８１２を駆動させることも可能である。
【００６８】
この巻き戻し機８１２は、図１１に示すように、外装ケースに固定される軸部８１２Ａが挿通される内側円筒体８１２Ｂと、この内側円筒体８１２Ｂを覆う外側円筒体８１２Ｃとを含んで構成されている。
【００６９】
内側円筒体８１２Ｂと外側円筒体８１２Ｃとの間には、帯状の除電ブラシ８１１が内側円筒体８１２Ｂの外周面に巻き付くように収納されている。
【００７０】
また、図１１では図示を略したが、内側円筒体８１２Ｂの内部空間には、内端が前記軸部８１２Ａに固定され、外端が内側円筒体８１２Ｂの内側面に固定される渦巻きバネが設けられ、この渦巻きバネによって内側円筒体８１２Ｂは除電ブラシ８１１の巻き取り方向に付勢されている。
【００７１】
除電ブラシ８１１のエアフィルタ４２と接続される先端部分には、開口８１１Ａが形成され、巻き戻し機８１２によって除電ブラシ８１１が巻き取られた状態では、この開口８１１Ａが液晶ライトバルブ９２５Ｇの入射面および出射面に対応し、投写型表示装置２０１の使用時に除電ブラシ８１１が障害とならないようになっている。
【００７２】
尚、図１０では図示を略したが、他の液晶ライトバルブ９２５Ｒ、９２５Ｂにもそれぞれ上述した除去機構８１が設けられ、入射面および出射面上の塵埃を除去できるように構成されている。
【００７３】
（２）第３実施形態の効果
上述した第３実施形態に係る投写型表示装置２０１によれば、前述の第１および第２実施形態で述べた効果に加えて、次のような効果がある。
【００７４】
すなわち、外装ケース内部に設けられた除電ブラシ８１１の一方の端部がエアフィルタ４２に接続され、他方の端部が装置内部の巻き戻し機８１２と接続されているので、エアフィルタ４２の取り外しと連動して除電ブラシ８１１が摺動し、液晶ライトバルブ９２５Ｒ、９２５Ｇ、９２５Ｂの入射面および出射面を清掃することができ、特段清掃作業を行うことなく、液晶ライトバルブ９２５Ｒ、９２５Ｇ、９２５Ｂ上の塵埃を除去して投写型表示装置の画質を鮮明に維持することができる。
【００７５】
また、除電ブラシ８１１の先端部分に開口８１１Ａが形成されているので、投写型表示装置２０１の使用時において、除電ブラシ８１１が投写画像の障害となることもない。
【００７６】
４．実施形態の変形
尚、本発明は、前述した第１〜第３実施形態に限定されるものではなく、次に示すような変形をも含むものである。
【００７７】
すなわち、前述の第１〜第３実施形態では、空気取り入れ口４１の近傍には、強制的に外部の空気を装置内部に取り入れる吸気ファン５１が設けられていたが、これに限らず、例えば、排気ファン１１６による装置内部の空気の強制排除に伴って空気取り入れ口４１から冷却用空気が取り入れられるような構成の投写型表示装置に本発明を利用しても前述の各実施形態で述べた効果と同様の効果を享受することができる。
【００７８】
また、前述の各実施形態では、帯電フィルタは金属線をメッシュ状に編み込んだものを用いていたが、これに限らず、導電性を有する合成樹脂からなる不織布を利用してもよく、要するに、導電性を有しかつ表裏面に通気が確保されるような材料であれば他の材料等であってもよい。
【００７９】
さらに、前述の各実施形態では、投写型表示装置の空気取り入れ口４１は、色合成プリズムユニット９１０の下方に形成されていたが、これに限らず、他の部分に空気取り入れ口が形成された投写型表示装置において本発明を利用してもよい。
【００８０】
そして、前述の第２実施形態では、清掃用開口６１はアッパーケース１０３の上面に形成されていたが、ロアーケース４の底面に形成されていてもよく、かつ空気取り入れ口と兼用されていてもよい。
【００８１】
さらに、上述した実施形態に係る投写型表示装置は、いずれもスクリーンに投写した画面を観察する側と同じ側から投写を行う前面投写型の投写型表示装置であるが、上述した実施形態に係る光学系の構造、冷却構造は、スクリーンに投写した画面を観察する側とは反対側から投写を行う背面投写型表示装置にも同様に適用することが可能である。
【００８２】
その他、本発明の実施の際の具体的な構造および形状等は、本発明の目的を達成できる範囲で他の構造等としてもよい。
【００８３】
【発明の効果】
前述のように、本発明の投写型表示装置によれば、空気取り入れ口に電源ユニットと電気的に接続された帯電フィルタが設けられているので、エアフィルタを通過した微小な塵埃を帯電フィルタにより捕捉することができ、装置内部の空気を常に清浄な状態に保つことができ投写型表示装置の画質を劣化させることがない。
【図面の簡単な説明】
【図１】本発明の第１実施形態に係る投写型表示装置を表す概要斜視図である。
【図２】前述の実施形態における投写型表示装置の内部構造を表す水平断面図である。
【図３】前述の実施形態における投写型表示装置の内部構造を表す垂直断面図である。
【図４】前述の実施形態における投写型表示装置の光学ユニットの構造を表す平面図である。
【図５】前述の実施形態における投写型表示装置による拡大投写の構造を表す平面図である。
【図６】前述の実施形態における投写型表示装置の空気取りれ口の構造を表す部分垂直断面図である。
【図７】前述の実施形態における投写型表示装置の帯電フィルタの構造を表す平面図である。
【図８】本発明の第２実施形態に係る投写型表示装置の構造を表す図７に相当する断面図である。
【図９】前述の実施形態における清掃用の除電ブラシを表す概要斜視図である。
【図１０】本発明の第３実施形態に係る投写型表示装置の構造を表す図７に相当する断面図である。
【図１１】前述の実施形態における除電ブラシおよび巻き取り機の構造を表す概要斜視図である。
【符号の説明】
１、１０１、２０１  投写型表示装置
２  外装ケース
６  投写レンズユニット
７  電源ユニット
９  光学ユニット
２０  光源ランプユニット
４１  ２４１  空気取り入れ口
４２  エアフィルタ
４４  帯電フィルタ
５１  吸気ファン
６１  清掃用開口
８１１  除電ブラシ
８１１Ａ  開口
８１２  巻き戻し機
９２４  色分離光学系
９２５Ｒ、９２５Ｇ、９２５Ｂ  液晶ライトバルブ
Ｗ  光束
【図１】
0003541652.tif 000002
【図２】
0003541652.tif 000003
【図３】
0003541652.tif 000004
【図４】
0003541652.tif 000005
【図５】
0003541652.tif 000006
【図６】
0003541652.tif 000007
【図７】
0003541652.tif 000008
【図８】
0003541652.tif 000009
【図９】
0003541652.tif 000010
【図１０】
0003541652.tif 000011
【図１１】
0003541652.tif 000012